(57)【要約】  本発明は、中空器官、特に血管、尿管、食道、結腸、十二指腸または胆管内への経管的な移植のためのステントに関する。当該ステントは、第１の長手軸に沿って伸長しかつ第１の側端及び第１の中心端を有する実質的に管状である第１の本体部を有する第１のステントセクションを有する。当該ステントは、第２の長手軸に沿って伸長しかつ第２の側端及び第２の中心端を有する実質的に管状である第２の本体部を有する第２のステントセクションをさらに含む。当該第１のステントセクションと第２のステントセクションとは、中心端の領域で結合部によって互いに接続されている。当該ステントは、管状体によって形成される境界要素によって画定された複数のセルを含む。当該管状体は、それぞれ第１の断面直径を有する圧縮状態から拡大した第２の断面直径を有する拡張状態に変形できる。本発明のステントは、第１のステントセクションの第１の中心端が傾斜した態様で具現化されることを特徴とする。
2019507654.tif 000002
【特許請求の範囲】
【請求項１】
中空器官、特に血管、尿管、食道、結腸、十二指腸、又は胆管内への経管的な移植のためのステント（１０）であって、
第１の長手軸（Ｌ１）に沿って伸長しかつ第１の側端及び第１の中心端（２６）を有する実質的に管状である第１の本体部を有する第１のステントセクション（１２）と、
第２の長手軸（Ｌ２）に沿って伸長しかつ第２の側端（２８）及び第２の中心端（３０）を有する実質的に管状である第２の本体部を有する第２のステントセクション（１４）と、を有し、
前記第１のステントセクション（１２）と前記第２のステントセクション（１４）とは、前記中心端（２６、３０）の領域において結合部（１６）によって互いに接続され、
前記ステント（１０）は、管状体からなる境界要素（２２）によって画定される複数のセル（１８、１８ａ）を含み、当該管状体の各々は、第１の断面直径を有する圧縮状態から増大した第２の断面直径を有する拡張状態に変形され得、前記第１のステントセクションの前記第１の中心端（２６）は面取りされていることを特徴とするステント。
【請求項２】
前記中心端及び前記側端（２４、２６、２８、３０）は、中心端面及び側端面（２４ａ、２６ａ、２８ａ、３０ａ）を画定し、前記第１の長手軸（Ｌ１）及び前記第２の長手軸（Ｌ２）が互いに平行である場合に、前記側端面（２４ａ、２８ａ）は互いに平行であることを特徴とする請求項１に記載のステント。
【請求項３】
前記第１の中心端（２６）の前記第１の中心端面（２６ａ）は前記結合部（１６）を含み、かつ、前記結合部（１６）からの増大する距離を伴って前記第１の側端（２４）の前記第１の側端面（２４ａ）からの減少する距離を有することを特徴とする請求項２に記載のステント。
【請求項４】
前記第１のステントセクション（１２）と前記第２のステントセクション（１４）とは、長手方向の側部において互いに接続され、互いに旋回可能であることを特徴とする請求項１乃至３のいずれか１項に記載のステント。
【請求項５】
前記第１のステントセクション（１２）と前記第２のステントセクション（１４）とは、それぞれ複数の、好ましくはちょうど２つの、互いに隣接するか又は近接するセルにおいて、それぞれ他のステントセクション（１２、１４）に接続されていることを特徴とする請求項１乃至４のいずれか１項に記載のステント。
【請求項６】
前記第１のステントセクション（１２）と前記第２のステントセクション（１４）とは、それぞれ１つのセル（１８、１８ａ）において、それぞれ他のステントセクション（１２、１４）に接続されていることを特徴とする請求項１乃至４のいずれか１項に記載のステント。
【請求項７】
前記ステント（１０）は一体的に形成されていることを特徴とする請求項１乃至６のいずれか１項に記載のステント。
【請求項８】
少なくとも１つのマーカ（３２）は、特にアイレットの形態で各々の端部（２４、２６、２８、３０）に設けられていることを特徴とする請求項１乃至７のいずれか１項に記載のステント。
【請求項９】
前記結合部（１６）は、特にアイレットの形態で設けられた少なくとも１つのマーカ（３２）を含むことを特徴とする請求項１乃至８のいずれか１項に記載のステント。
【請求項１０】
前記拡張状態において、前記第１のステントセクション（１２）の断面直径は、前記第２のステントセクション（１４）の断面直径よりも小さいことを特徴とする請求項１乃至９のいずれか１項に記載のステント。
【請求項１１】
前記第１のステントセクションのいくつかの前記セル（１８ａ）は、前記第１のステントセクション（１２）の他の前記セル（１８）と比較して前記第１の長手軸（Ｌ１）の方向に延長されて、面取りされた前記第１の中心端（２６）を形成することを特徴とする請求項１乃至１０のいずれか１項に記載のステント。
【請求項１２】
当該延長された前記セル（１８ａ）の少なくともいくつかは、特に前記第１の長手軸（Ｌ１）に平行又は略平行に伸長する直線又は略直線に沿って配置され、及び／又は当該延長された前記セル（１８ａ）は複数のグループ、特に９つのグループに分割可能であり、各々のグループのセルは直線又は略直線に沿ってそれぞれ配置され、特に前記直線又は略直線は前記第１の長手軸（Ｌ１）に平行又は略平行に延びることを特徴とする請求項１１に記載のステント。
【請求項１３】
それぞれ同数のセル（１８、１８ａ）が、各グループにおいて、前記第１の長手軸（Ｌ１）に関して垂直に延在する断面平面から面取りされた前記第１の中心端（２６）まで設けられ、及び／又は隣接するグループのセル（１８、１８ａ）の長さは、周方向において最大から最小まで減少することを特徴とする請求項１２に記載のステント。
【請求項１４】
前記第１のステントセクションは、前記第１の側端（２４）の領域にフレキシブル部を含むことを特徴とする請求項１乃至１３のいずれか１項に記載のステント。
【発明の詳細な説明】
【技術分野】
【０００１】
本発明は、中空器官、特に血管、尿管、食道、結腸、十二指腸または胆管内への経管的な移植のためのステントに関する。当該ステントは、第１の長手軸に沿って伸長しかつ第１の側端及び第１の中心端を有する実質的に管状である第１の本体部を有する第１のステントセクションを含む。当該ステントは、第２の長手軸に沿って伸長しかつ第２の側端及び第２の中心端を有する実質的に管状である第１の本体部を有する第２のステントセクションをさらに含む。当該第１のステントセクションと第２のステントセクションとは、中心端の領域において結合部によって互いに接続されている。当該ステントは、管状体によって形成される境界要素によって画定された複数のセルを含む。当該管状体は、それぞれ第１の断面直径を有する圧縮状態から拡大した第２の断面直径を有する拡張状態に変形できる。
【背景技術】
【０００２】
このタイプのステントは、病的に変化した中空器官の、特に枝分かれ、すなわち分岐に対して行われる再開通に使用される。例えば、当該第１のステントセクションは、より小さい直径を有する中空器官の分岐に展開され得、これに対して当該第２のステントセクションは、より大きい直径を有する中空器官の内腔に配され得る。
【０００３】
ステントを展開するため、ステントセクションは圧縮状態で一般的なデリバリーカテーテルを介して中空器官内の位置に導入され、健康な中空器官の直径に対応する直径まで異なる大きさで拡張され、中空器官、例えば血管壁の保持効果が達成される。
【０００４】
かかるステントは、例えば、管状体の壁に複数のスリットのような開口部が切り込まれ、ステントの長手軸において部分的に伸びて菱形の開口部がステントの拡張時に形成されるように製造される。開口部はその境界要素と共にセルと呼ばれる。
【発明の概要】
【発明が解決しようとする課題】
【０００５】
中空器官の分岐において２つのステントセクションを有するステントを使用する際に、１つのステントセクションは当該中空器官の内腔に突出し得る。このことは、当該ステントが突出した部分に沈着物が堆積しやすく、例えば血管の詰まりをもたらし得るため好ましくない。
【０００６】
従って、本発明の目的は、分岐における詰まりを抑制する最初の種類のステントであって、同時に高い半径方向の配置力をももたらして展開時のねじれが確実に排除されるステントを提供することにある。
【課題を解決するための手段】
【０００７】
本発明の目的は、請求項１の特徴を有する本発明のステントによって達成され、特に、第１のステントセクションの第１の中心端が面取りされる（傾斜をつけて構成される）（abgeschragt ausgebildet ist）ことによって達成される。
【０００８】
第１の中心端が中空器官の分岐の形状に適合することは、特に、当該分岐が当該中空器官のメインルーメンに対して傾斜して位置している場合に、面取りされた第１の中心端によって達成される。第１のステントセクションのこの部分は、従来は分岐で展開する際に中空器官の内腔に突出していた部分であり、面取りによって小さくなる。従って、本発明のステントには、中空器官の内腔に突出する部分が無い。このような態様で、堆積物の形成或いは堆積物や血餅による中空器官の詰まりが抑制される。２つのステントセクションによって、１つのステントを導入するだけで分岐の２つの領域が保持され得る。
【０００９】
一般的に、当該面取りされた領域は、例えば分岐後の血管内に実質的に突出することなく、中空器官を分岐に至るまで確実に支持することを可能にする。
【００１０】
セルは、１つ又は複数の接続部によって１つ又は複数の他のセルに接続され得る。上記したように、セルは、切込み部及びその夫々の境界要素を含み得、当該接続部は境界要素に属する。
【００１１】
本発明のステントにおいて、少なくともいくつかのセルは、複数の接続部によってそれぞれ互いに接続され得る。３つ又は４つの各接続部が特に提供され得、これによってステントの半径方向の配置力及び保持効果が特に高くなり得る。
【００１２】
ステントは、限界温度以上の保存形状を採用した記憶金属から製造することができる。例えば、当該ステントは、この目的でニチノールから製造され得る。
【００１３】
本発明のステントのステントセクションは、もともとは別個の２つのステントを接続して、特に、結合部で互いに溶接して形成され得る。
【００１４】
第１及び第２のステントセクションはそれぞれ２つの端部を有し、互いに対向する端部を中心端と称し、互いに離れた端部は側端と称する。
【００１５】
結合部による接続は、ステントセクションが互いに動くことができ、特に、結合部の周りを互いに旋回可能であるように構成され得る。これは、第１のステントセクションの第１の長手軸を第２のステントセクションの第２の長手軸に平行に配置して旋回可能とすることによって可能となる。中心端は、平行な長手軸を有するそのような配置において互いに対向し得る。
【００１６】
中空器官における本発明のステントを展開する際に、例えば２つの総腸骨静脈を下大静脈まで開く際に、特に、総腸骨静脈の上部の領域で、ステントセクションの長手軸のアライメントは、当該長手軸がそれぞれの血管が広がる方向に適応するようにステントセクションを調整して修正され得る。ステントセクションは、この目的のために結合部の周りを旋回し得る。例えば、第1の長手軸と第２の長手軸とは、展開された状態で、互いに約０°〜７０°までの角度を有し得る。第１のステントセクションの第１の中心端の面取りは、本発明によれば、第１のステントセクションが当該分岐に突出しないが中空器官（例えば総腸骨静脈）を分岐に至るまで保持するように、例えば１０°、１５°、２５°、３５°、４５°、又は６０°の角度で構成され得る。前記角度は、第１のステントセクションの端面（後述する）の法線の間に存在し得る。
【００１７】
上記の選択された例において、例えば第１のステントセクションは総腸骨静脈内に配置され、一方で第２のステントセクションは下大静脈内に配置される。
【００１８】
本発明の好ましい実施形態は、明細書、従属請求項及び図面から理解することができる。
【００１９】
第１の有利な実施形態によれば、中心端及び側端は中心及び外側の端面を画定し、第１の長手軸と第２の長手軸とが互いに平行である場合に、側端面同士は互いに平行となる。
【００２０】
さらに、第２の中心端面は、第２の側端面に平行であり得る。
【００２１】
或いは、第１の中心端に加えて第２の中心端及び／又は第１の側端及び／又は第２の側端も面取りされて形成され得る。これによって、ステントを使用する追加の領域、例えば２つの分岐の間の領域が広くなる。
【００２２】
ステントセクションの端部は、各々が端部平面を画定し得る。すなわち、ステントセクションの端部は、長手軸の方向においてステントセクションの最後の境界要素の各々によって画定された仮想の領域を表わし得る。中心端は、互いに当該面取りに起因する角度を有し得る。すなわち、第１の中心端の端面の法線ベクトルは、長手軸に対する角度を含み得る。この角度は、例えば、１０°から６０°の間の範囲に、好ましくは３０°から４０°の間の範囲にあり得る。
【００２３】
この点において、第１の中心端の端面を第１の中心端面と称し、第２の中心端の端面を第２の中心端面と称し、第１の側端の端面を第１の側端面と称し、第２の側端の端面を第２の側端面と称する。
【００２４】
さらなる有利な実施形態によれば、結合部の第１の中心端の第１の中心端面は、当該結合部を含み、かつ、結合部からの距離が大きくなるにつれて、第１の側端の第１の側端面からの距離が小さくなる。すなわち、第１の中心端の面取りは、第１のステントセクションが第１の長手軸の方向における最大の長手方向の広がりを有するように配置され得、第１のステントセクションが結合部に合流する。従って、第１の中心端面は第１の側端面に向かって傾き、一方で第１の中心端面は長手軸が互いに平行な場合に第２の側端面から離れて傾く。
【００２５】
さらなる有利な実施形態によれば、第１のステントセクションと第２のステントセクションとは、長手側部（longitudinal side）において互いに接続されているのみであり、互いに旋回可能である。当該長手側部とは、それぞれの長手軸の方向において最も長く伸長しているそれぞれのステントセクションの領域であると理解される。
【００２６】
結合部は、ステントセクションが互いに旋回可能であることを確実にするヒンジの機能を満たす。ステントセクションは結合部の周りを旋回可能であり得る。
【００２７】
さらなる有利な実施形態によれば、第１のステントセクションと第２のステントセクションとは、互いに他方のステントセクションに、それぞれ複数の隣接した又は互いに隣接したセルで、好ましくはちょうど２つのそのようなセルで、それぞれ接続されている。結合部は、当該接続されたセルを含み得る。ステントセクションの安定した接続は、保持されているにも関わらずステントセクションが互いに旋回可能であることを伴う２つのセルによる接続によってもたらされる。さらに、この態様で、結合部の領域において組織の大きい面積にわたる保持が達成され得、組織の崩壊が回避される。
【００２８】
或いは、第１のステントセクション及び第２のステントセクションは、それぞれ他方のステントセクションにちょうど１つのセルで接続され得る。ステントセクションはある程度互いの周りを回転し得るので、ステントセクションが互いに可動である「可動性」の増大は、１点のみでの接続によって達成され得る。
【００２９】
ステントは、一体型であることが好ましい。これは、ステントセクションが例えば、一体化された共通の原料から成形されることを意味する。従って、ステントセクションは、同じ材料から形成され得る。
【００３０】
さらなる有利な実施形態によれば、少なくとも１つのマーカ、特に、タンタル等のＸ線不透過性のプレートが差し込まれているアイレットの形態のマーカが各々の端部に設けられる。当該マーカは、ステントのＸ線写真における視認性を高める役割を果たし得、Ｘ線写真内のステントの位置が容易に認識される。マーカは通常Ｘ線に対する不透過性が高められたステントの部分であり得、Ｘ線像において特に容易に視認できる。
【００３１】
ステントセクションの各々の端部へのマーカの適用によって、当該２つのステントセクションはＸ線像において互いに容易に区別され得、それらのアライメントが認識され得る。
【００３２】
結合部は、好ましくは少なくとも１つのマーカ、特にアイレットの形態のマーカを含み得る。結合部は例えば、各々のアイレットが例えばタンタル、銀、ニオブ、タングステン、及び／又はモリブデン等によって満たされているか又は覆われているちょうど２つのマーカを含み得る。その結果として、結合部は、１つ、２つ又はそれ以上のマーカによって形成され得、結合部の複数のマーカを「共有する」中心端を伴う。
【００３３】
さらなる有利な実施形態によれば、拡張状態で第１のステントセクションの断面直径は第２のステントセクションの断面直径よりも小さい。従って、第２のステントセクションは、より大きい内腔を支持することに適しており、一方で第１のステントセクションはより小さい直径を有する内腔に適している。ステントセクションの断面直径は、同じであってもよい。通常、ステントセクションの断面直径の考えられるいかなる組み合わせも選択され得、第２のステントセクションの断面直径が第１のステントセクションの断面直径より小さくてもよい。
【００３４】
第１及び第２のステントセクションは１２ｍｍか又はそれ以上の断面直径を有し得る。第１のステントセクションは、好ましくは１２ｍｍの断面直径を有し得、第２のステントセクションは好ましくは１８ｍｍの断面直径を有し得る。
【００３５】
当該異なる断面直径の故に、長手軸は、平行にアライメントされて互いにオフセットされて配置され得る。例えば、第１のステントセクションが第２のステントセクションよりも小さい断面直径を有する場合、第１のステントセクションに隣接して、第２のステントセクションに近接して、又は第２のステントセクション内に突出して追加のものが配置される可能性が生じる。当該追加のステントは、分岐した両方の枝を保持する役割を果たす。当該追加のステントは、同様に面取りされた端部を有し得る。追加のステントのより簡単な取り扱いのために、当該追加のステントは２つのステントセクションから独立し得、当該２つのステントセクションに非永久的に固定され得る。
【００３６】
さらなる有利な実施形態によれば、第１のステントセクションのセルのうちのいくつかは、第１のステントセクションのその他のセルと比較して第１の長手軸方向に引き延ばされるように構成され、面取りされた第１の中心端を形成する。
【００３７】
面取りされた端部は、当該引き延ばされたセル（延長セル（elongated cell））によって生じる。この点で、当該セルは第１の長手軸方向に伸長するので、面取りされた端部を形成するための追加のセルは必要とされない。面取りされた領域において第１のステントセクションの残りの管状体と同様のセルの配置を選択することも延長セルによって可能となる。
【００３８】
当該延長セルは、第１のステントセクションのリジッド部（rigid section）にのみ存在し得る。例えば、第１のステントセクションはフレキシブル部（flexible section）及び／又は固定部（anchorage section）を含み得る。当該リジッド部に関する延長セルについて以下に説明する。
【００３９】
第１のステントセクションの構造は特に高い半径方向の配置力をもたらし得る追加セルの回避の故に生じる。この態様において、血管、例えば分岐に近接する血管を確実に保持することが可能となる。
【００４０】
追加のセルを省略することは、面取りの角度が変更可能に固定されることをさらに可能とする。当該角度は、ステントの製造において、当該延長セルの相対的な伸長によって固定され得るからである。
【００４１】
セル間の接続部（複数の延長セルの間にある）は、同様に、延長セルともに伸長し得る。
【００４２】
さらなる有利な実施形態によれば、延長セルの少なくともいくつかは、特に第１の長手軸に平行に又は略平行に伸びる直線又は略直線に沿って配置される。
【００４３】
これに加えて又は代替として、当該延長セルは、複数のグループ、特に９つのグループ又は１３のグループに分割可能であり、各々のグループのセルは直線又は略直線に沿ってそれぞれ配置され、当該直線又は略直線は第１の長手軸に平行又は略平行に延びる。
【００４４】
全部で１２又は１６のグループが提供され得、９つ又は１３のグループでは延長セルを有する。
【００４５】
セルの配置は、それぞれのセルが直線又は略直線に沿って配置されるように選択され得る。さらに、セルはこれらの線の１つに対して対称に形成され得る。特に、他のセルに対して傾いたり回転したりするセルは存在し得ない。そのような回転するセルによる構造の弱まりは、この態様において回避され得る。グループ内の全てのセルは特に、長手軸から見て各々が同じ長さ又はほぼ同じ長さを有し得る。
【００４６】
第１のステントセクションの異なるグループのセルによって形成されるラインは、好ましくは互いに平行か又は略平行に延びる。当該ラインは、第１の長手軸に対して平行か又は略平行にさらに伸長し得る。
【００４７】
さらなる有利な実施形態によれば、第１の長手軸に垂直に延在する断面平面から面取りされた第１の中心端まで各グループにそれぞれ同数のセルが設けられる。半径方向の配置力は、第１のステントセクションの長さにわたって実質的に均一であるグループ内においてそれぞれ等しい数のセルを設けることによって達成され得る。同数のセルを、好ましくは第１のステントセクションのリジッド部における各々のグループに設けることができる。
【００４８】
これに代えて又は加えて、隣接するグループのセルの長さは、周方向において最大から最小まで低下する。最大長さを有するセルは、特に、ステントの第１の長手軸に関して最小の長さを有するセルに対向して配置される。かかる配置によって面取りを生成することができる。
【００４９】
さらなる有利な実施形態によれば、第１のステントセクションは、第１の側端の領域においてフレキシブル部を含む。当該フレキシブル部は、第１のステントセクションの残りのセルよりも大きい面積を有するセルを有し得る。フレキシブル部は、より大きいセルに起因して容易に曲げることができ、これによって当該フレキシブル部は中空器官の程度の形状に、より簡単に適応することができる。フレキシブル部のセルは、好ましくは歯状の境界を有し得る。
【００５０】
さらなる有利な実施形態によれば、第１のステントセクションは、フレキシブル部に隣接する固定部を含む。固定部のセルはリジッド部のセルに対応することができ、例えば、菱形にすることができる。固定部は、菱形状のセルに起因してより低い柔軟性を有し得、ステントを中空器官のその位置に固定することができる。固定部は、法線ベクトルとしての第１の長手軸を有する第１の側端の端面である第１のステントセクションの直線端部を形成することができる。第１の側端のマーカは、第１のステントセクションのリジッド部に取り付けられ得る。
【００５１】
本発明は、実施形態及び添付の図面を参照して以下に完全に説明される。
【図面の簡単な説明】
【００５２】
【図１】本発明によるステントを拡張状態で示す平面図である。
【図２】図１のステントを拡張状態で、互いに旋回したステントセクションを伴って示す側面図である。
【発明を実施するための形態】
【００５３】
図１及び図２は、ステント１０を示す。ステント１０は、第１のステントセクション１２及び第２のステントセクション１４を含む。第１のステントセクション１２と第２のステントセクション１４とは、結合部１６によって互いに接続されている。
【００５４】
第１のステントセクション１２及び第２のステントセクション１４は、各々が実質的な管状体であり、円形の断面をする。第１のステントセクション１２は第１の長手軸Ｌ１に沿って伸長し、第２のステントセクション１４は第２の長手軸Ｌ２に沿って伸長する。
【００５５】
図１において、長手軸Ｌ１及びＬ２は、互いに平行に、同軸上に伸長している。これに対して、図２に示すステントの配置では、長手軸Ｌ１及びＬ２は、紙面への投射において互いに約３５°の角度をなしている。この角度に達するために、ステントセクション１２及び１４は、結合部１６の周りを旋回する。図２の配置は、分岐でステント１０が展開される際のステントセクション１２及び１４のアライメントにおおよそ対応している。
【００５６】
ステントセクション１２及び１４は、菱形形状の（閉じた）セル１８から形成される。セル１８は、各々が他の菱形形状のセル１８に、３つ又は４つの接続部２０を介して接続されている。菱形形状のセル１８は、金属からなるクモの巣状の境界要素２２によって画定される。
【００５７】
第１のステントセクション１２は、第１の側端２４及び第１の中心端２６を含む。第２のステントセクション１４は、第２の側端２８及び第２の中心端３０を含む。
【００５８】
第１の側端２４は、第１の側端面２４ａを画定する。対応する方法で、第１の中心端２６は第１の中心端面２６ａを画定し、第２の側端２８は第２の側端面２８ａを画定し、第２の中心端３０は、第２の中心端面３０ａを画定する。端面２４ａ、２６ａ、２８ａ、及び３０ａは、図２のみにより明確に示している。
【００５９】
中心端２６及び３０は、マーカ３２の役割を果たす２つのアイレットによってステントセクション１２と１４との間に確立された接続を伴って結合部１６の領域において互いに近接している。結合部１６のマーカ３２の各々は、第１のステントセクション１２のセル１８と、第２のステントセクション１４のセル１８とを接続している。
【００６０】
第１の側端２４及び第２の側端２８に、マーカ３２がさらに設けられている。マーカ３２は、Ｘ線像において容易に視認されるようにタンタル（図示せず）で満たされている。タンタルの代わりに、又はタンタルに加えて、銀、ニオブ、タングステン及び／又はモリブデンを用いることもできる。
【００６１】
第２のステントセクション１４のセル１８は一様に形成されており、第２のステントセクション１４の第２の端部２８及び３０によって画定される端面２８ａ及び３０ａは互いに平行に伸長している。
【００６２】
一方、第１のステントセクション１２において、第１の長手軸Ｌ１の方向に伸長する、延長セル１８ａが設けられている。面取り３４は、第１の中心端２６において延長セル１８ａに起因して生成される。延長セル１８ａのうちの２つは、結合部１６のマーカ３２に接続されている。
【００６３】
ステント１０が分岐で展開される際に、第１のステントセクション１２が、保持されるべき中空器官の内腔に突出しないことが面取り３４によって可能となり得る。
【００６４】
面取り３４及び長手軸Ｌ１及びＬ２の同軸の配置は、図２に示すように、さらに追加のステント３６を第２のステントセクション１４に挿入する可能性をもたらす。
【符号の説明】
【００６５】
１０    ステント
１２    第１のステントセクション
１４    第２のステントセクション
１６    結合部
１８    セル
１８ａ  延長セル
２０    接続部
２２    境界要素
２４    第１の側端
２４ａ  第１の側端面
２６    第１の中心端
２６ａ  第１の中心端面
２８    第２の側端
２８ａ  第２の側端面
３０    第２の中心端
３０ａ  第２の中心端面
３２    マーカ
３４    面取り
３６    追加のステント
Ｌ１    第１の長手軸
Ｌ２    第２の長手軸
【図１】
2019507654.tif 000003
【図２】
2019507654.tif 000004
【国際調査報告】
2019507654.tif 000005
2019507654.tif 000006
2019507654.tif 000007
2019507654.tif 000008